(57)【要約】【課題】祝電等としての機能が向上する音声付印刷物の提供を目的とする。【解決手段】電話１，２等からの本人の声を、パソコン５を介して基板７内に再生可能に格納し、この基板７を印刷物６内に内装させて構成する。【選択図】                図１
2004341246.tif 000002
【特許請求の範囲】
【請求項１】
印刷物内に、メッセージを贈る本人の声を再生可能に格納した基板を内装させたことを特徴とする音声付印刷物。
【請求項２】
前記印刷物には、前記本人の写真または書画が印刷されていることを特徴とする請求項１に記載の音声付印刷物。
【請求項３】
前記請求項１の印刷物の基板内には、電話からの本人の声をパソコンを介して入力させることを特徴とする音声取込みシステム。
【発明の詳細な説明】
【０００１】
【発明の属する技術分野】
この発明は、音声付印刷物および印刷物内の基板に音声を取込む音声取込みシステムに関するものである。
【０００２】
【従来の技術およびその課題】
従来、結婚式への祝電は電報の形でメッセージを贈るが、あくまでメッセージは文章として贈られるため、メッセージを贈る本人の気持ちが十分に伝わらない場合もあり、また母の日や七五三等のための祝電においても同様であり、本人の気持ちを十分に伝えることのできる手段の出現が望まれていた。
【０００３】
【特許文献１】
特開２００２ー２０３０５９号公報
【０００４】
【課題を解決するための手段】
本発明は、上記従来の問題点に鑑み案出したものであって、メッセージを贈る本人の気持ちが十分に伝えられる音声付印刷物、および音声取込みシステムを提供せんことを目的とし、その第１の要旨は、印刷物内に、メッセージを贈る本人の声を再生可能に格納した基板を内装させたことを特徴とする音声付印刷物である。
また第２の要旨は、前記印刷物には、前記本人の写真または書画が印刷されていることである。
また第３の要旨は、前記印刷物の基板内には、電話からの本人の声をパソコンを介して入力させることを特徴とする音声取込みシステムである。
【０００５】
【発明の実施の形態】
以下、本発明の実施例を図面に基づいて説明する。
図１は、例えば結婚式のための祝電を贈るシステムを図解したものであり、結婚する友達に対しメッセージを贈ろうとする本人が、携帯電話１または普通電話２から、祝電用の印刷物を作成する会社に電話をすると、その会社内で、受付電話３により本人からのお祝いのメッセージを録音して、録音ユニット４ａ，４ｂ内に集録する。会社内では、この集録した音声メッセージを録音ユニット４ａを介してパソコン５内に入れて、パソコン５内で雑音を取り除いたり、またバック音楽を加える等の加工をした後、本人からの音声メッセージを書き込み可能なメモリ基板７内に格納する。
この音声メッセージを格納した基板７を、祝電用の印刷物６内に内装させて、スタートボタン８を指で押すことにより、この基板７に格納された音声メッセージが音声として発せられるように構成しておく。
【０００６】
なお、祝電用の印刷物６には、予め結婚式向けの絵や詩等が印刷されており、祝電用の印刷物を作成する会社内で、印刷物６の所定位置６ａには、選択した種々の祝電用文章等が書き込まれ、また、右側の６ｂの欄には、受け取る側の花嫁または花婿の名前が書き込まれ、また、左側の６ｃの欄には、メッセージを贈る本人の名前が書き込まれる。
このように祝電用の印刷物を作成する会社内で、基板７を内装させた印刷物６を作成し、この作成された印刷物６は結婚式場へ送られる。
結婚式会場においては、祝電を読み上げる司会者等が、この印刷物６のスタートボタン８を指で押して、基板７内に格納されている本人からの音声メッセージを、会場のマイク等を介して結婚式場内に流すことができ、あたかも本人が祝辞を述べているような雰囲気となり、本人からの音声を通してのメッセージが花婿または花嫁に十分に伝わり、祝電としての機能が向上されるものとなる。
【０００７】
また、同様に、母の日に母に贈る印刷物６にも、また、七五三の場合の子供に贈る印刷物６にも、また、クリスマスイブに恋人に贈る印刷物６においても、印刷物６内にメッセージを贈る本人の音声をパソコン５を介して格納しておくことができ、それぞれの場合に対応させて、予め印刷物６は、母の日用，七五三用，およびクリスマス用等に、それぞれ絵柄や詩等を印刷したものが用意されており、その印刷物６に、名前やメッセージが更に書き込まれて、それを相手に贈ることにより、本人からの気持ちが音声とともに十分に伝えられるものである。
その他、会社関係の送別会や歓迎会等においても、同様な音声付印刷物として贈ることができるものである。
【０００８】
なお、図１ではメッセージを贈る本人が、携帯電話１または普通電話２から印刷物を作る会社に電話を入れて、電話による音声メッセージを基板７内に格納しているが、その他、印刷物を作る会社の人が直接本人にインタビューしたり、または本人からテープに録音して会社に送られてくる場合もあり、そのような直接インタビューによる場合や、テープで送られてきた本人からのメッセージは、同様に、パソコンに入力されて、パソコン５内でバックミュージック等を入れる等して加工し、これを基板７内に格納して、印刷物６内に基板７を内装させて、結婚式場等へ届けることができるものである。
【０００９】
前述した例とは逆に、花嫁または花婿本人の声を基板７内に入れておき、また印刷物６には、花嫁または花婿本人の写真等を印刷して、結婚式の引出物の一品として、結婚式の出席者全員に渡すようにすることもできる。
この場合には、花嫁または花婿または両者の声を、予め集録して、パソコン５を介し加工し、基板７内に格納しておき、また印刷物６には、二人の写真や、花嫁または花婿、それぞれの子供の頃から現在に至る写真等を印刷して、一種の写真集の形態にし、引出物として出席者全員に渡すことができるものである。
同様に、結婚式に限らず、お葬式等においても、生前の本人の、例えば歌声等を基板７内に格納しておき、印刷物６には、生前の本人のスナップ写真等を印刷して、思い出の品として参列者に渡すこともできるものである。
【００１０】
また別の例として、例えば自動車レース場等で売る商品として、印刷物６には、例えばアイルトンセナ本人の種々の写真を印刷して、写真集のような形態にしておき、この印刷物６内に、アイルトンセナの生前の声を格納した基板７を内装させておくことができる。
購入した人は、スタートボタン８を押すことにより、アイルトンセナの生前の声を聞くことができるものである。
また、例えば野球場で売る商品として、例えば立浪選手の種々の写真を印刷した印刷物６内に、立浪選手本人の声を格納した基板７を内装させておくことができるものである。
なお、更には、観光地等で売る商品として、観光地の名所の各種の写真を印刷物６に印刷しておき、観光地で実際にガイドを行っているガイド人の声を基板７に格納して、これを印刷物６内に内装させておくこともできる。
【００１１】
【発明の効果】
本発明の音声付印刷物は、印刷物内に、メッセージを贈る本人の声を再生可能に格納した基板を内装させたことにより、基板に格納した本人の声を再生させて、良好にメッセージを音声で贈ることができ、しかも印刷物が結婚式等の祝電として贈られる場合では、メッセージを贈る本人の声を直接相手に伝えることができて、祝電としての機能がより向上されるものとなる。
【００１２】
また、前記印刷物には、前記本人の写真または書画が印刷されていることにより、例えば、結婚式での引出物の一品として出席者に渡す場合に、花嫁または花婿本人の写真、または書画が印刷物には印刷されており、しかも、花嫁または花婿または両者の声を再生して聞くことができるために、結婚式の思い出の品としての機能を十分に発揮することができるものとなる。
【００１３】
また、前記印刷物の基板内には、電話からの本人の声をパソコンを介して入力させることとしたため、遠くにいる本人が電話によりメッセージを印刷物を作る会社に送り、この会社内で、パソコンで加工して本人の声を基板に格納し、印刷物を祝電として結婚式場等へ送ることができるものとなる。
【図面の簡単な説明】
【図１】本人が電話でメッセージを送り、この音声メッセージを、パソコンを介して基板に格納し、この基板を印刷物内に内装させる流れのシステム図である。
【符号の説明】
１    携帯電話
２    普通電話
３    受付電話
４ａ，４ｂ    録音ユニット
５    パソコン
６    印刷物
７    基板
８    スタートボタン
【図１】
2004341246.tif 000003